(57)【要約】【課題】  非常用の電力供給装置を有効に活用する電力供給システムなどを提供する。【解決手段】  電力供給システムは、負荷に対して電力供給を行う商用電源からの電力供給が停止した時に、切替器を介して、負荷の少なくとも一部に対して電力供給を行う電力供給装置を備える。負荷のうち、空調機への電力供給源を、商用電源から供給される電力の波形と電力供給装置から供給される電力の波形とが同期した状態で、商用電源と電力供給装置との間で切替を行う高速切替器を備える。電力供給装置から供給された電力に基づいて駆動し、高速切替器の切替制御を行うデマンド制御装置を備える。デマンド制御装置は、商用電源から負荷への電力量が電力量閾値以上の状態であるか否かに基づいて、空調機への電力供給源を商用電源から電力供給装置へ切り替える第１電源切替工程を実行する。【選択図】図１
2018137860.tif 000002
【特許請求の範囲】
【請求項１】
負荷に対して電力供給を行う商用電源からの電力供給が停止した時に、切替器を介して、前記負荷の少なくとも一部に対して電力供給を行う電力供給装置と、
前記負荷のうち、空調機への電力供給源を、前記商用電源から供給される電力の波形と前記電力供給装置から供給される電力の波形とが同期した状態で、前記商用電源と前記電力供給装置との間で切替を行う高速切替器と、
前記電力供給装置から供給された電力に基づいて駆動し、前記高速切替器の切替制御を行うデマンド制御装置とを備え、
前記デマンド制御装置は、前記商用電源から前記負荷への電力量が電力量閾値以上の状態であるか否かに基づいて、前記空調機への電力供給源を前記商用電源から前記電力供給装置へ切り替える第１電源切替工程を実行することを特徴とする電力供給システム。
【請求項２】
前記デマンド制御装置は、前記電力量が前記電力量閾値以上であると１回目の判断をした後に、第１時間の間、前記空調機について消費電力が少なくなるように消費電力抑制制御を行い、前記消費電力抑制制御の後、前記第１時間よりも短い第２時間の間、前記空調機について前記消費電力抑制制御を行う前の状態に戻す解除制御を行い、
前記デマンド制御装置は、前記解除制御の後、前記電力量が前記電力量閾値以上であると２回目の判断をした後に、前記第１時間の間、２回目の前記消費電力抑制制御を行い、前記２回目の前記消費電力抑制制御の後、前記第２時間の間、２回目の前記解除制御を行い、
前記デマンド制御装置は、前記２回目の前記解除制御の後、前記電力量が前記電力量閾値以上であると３回目の判断をした後に、前記第１電源切替工程を実行することを特徴とする請求項１に記載の電力供給システム。
【請求項３】
前記第１時間は５分であり、
前記第２時間は１分であり、
前記空調機の室外機の定格消費電力が前記消費電力抑制制御前の９０％以下になるように、前記消費電力抑制制御が行われることを特徴とする請求項２に記載の電力供給システム。
【請求項４】
前記電力供給装置は、発電機であり、
前記デマンド制御装置は、前記発電機に内蔵されるバッテリーから供給された電力に基づいて駆動することを特徴とする請求項１に記載の電力供給システム。
【請求項５】
前記デマンド制御装置は、前記商用電源から前記空調機を除く前記負荷への第１電力量と前記電力供給装置から前記空調機への第２電力量の和が前記電力量閾値以上の状態であるか否かに基づいて、前記空調機への電力供給源を前記電力供給装置から前記商用電源に切り替える第２電源切替工程を実行することを特徴とする請求項１に記載の電力供給システム。
【請求項６】
前記商用電源と前記負荷の間に設置された電力量計における電力量の積算を開始する時点を示す積算開始時からの経過時間が第１経過時間閾値を超えるまでの間は、前記電力量閾値が高く設定され、前記積算開始時からの経過時間が前記第１経過時間閾値を超えてから前記積算を終了する時点を示す積算終了時までの間は前記電力量閾値が低く設定されることを特徴とする請求項１に記載の電力供給システム。
【請求項７】
前記電力供給装置は、発電機であり、
前記発電機を最後に停止させてからの経過時間が第２経過時間閾値を超えた後であって、次に前記発電機が始動する間での間は、前記第２経過時間閾値を超えるまでに比べて、前記電力量閾値が低く設定されることを特徴とする請求項１に記載の電力供給システム。
【請求項８】
負荷に対して電力供給を行う商用電源からの電力供給が停止した時に、切替器を介して、前記負荷の少なくとも一部に対して電力供給を行う電力供給装置と、
前記負荷のうち、空調機への電力供給源を、前記商用電源から供給される電力の波形と前記電力供給装置から供給される電力の波形とが同期した状態で、前記商用電源と前記電力供給装置との間で切替を行う高速切替器と、
前記電力供給装置から供給された電力に基づいて駆動し、前記高速切替器の切替制御を行うデマンド制御装置とを有する電力供給システムにおける電源切替方法であって、
前記デマンド制御装置が、前記電力量が前記電力量閾値以上であると１回目の判断をした後に、第１時間の間、前記空調機についての消費電力が少なくなるように消費電力抑制制御を行い、前記消費電力抑制制御の後、前記第１時間よりも短い第２時間の間、前記空調機について前記消費電力抑制制御を行う前の状態に戻す解除制御を行う第１工程と、
前記デマンド制御装置が、前記第１工程の後、前記電力量が前記電力量閾値以上であると２回目の判断をした後に、前記第１時間の間、２回目の前記消費電力抑制制御を行い、前記２回目の前記消費電力抑制制御の後、前記第２時間の間、２回目の前記解除制御を行う第２工程と、
前記デマンド制御装置が、前記第２工程の後、前記電力量が前記電力量閾値以上であると３回目の判断をした後に、前記空調機への電力供給源を前記商用電源から前記電力供給装置に切り替える第１電源切替工程を実行することを特徴とする電源切替方法。
【請求項９】
前記デマンド制御装置が、前記第１電源切替工程の後、前記商用電源から前記空調機を除く前記負荷への第１電力量と前記電力供給装置から前記空調機への第２電力量の和が前記電力量閾値以上の状態であるかに基づいて、前記空調機への電力供給源を前記電力供給装置から前記商用電源に切り替える第２電源切替工程を実行することを特徴とする請求項８に記載の電源切替方法。
【請求項１０】
電力供給装置から供給された電力に基づいて駆動し、高速切替器の切替制御を行うデマンド制御装置であって、
前記電力供給装置は、負荷に対して電力供給を行う商用電源からの電力供給が停止した時に、切替器を介して、前記負荷の少なくとも一部に対して電力供給を行うものであり、
前記高速切替器は、前記負荷のうち、空調機への電力供給源を、前記商用電源から供給される電力の波形と前記電力供給装置から供給される電力の波形とが同期した状態で、前記商用電源と前記電力供給装置との間で切替を行うものであり、
前記デマンド制御装置は、前記商用電源から前記負荷への電力量が電力量閾値以上の状態であるか否かに基づいて、前記空調機への電力供給源を前記商用電源から前記電力供給装置へ切り替える第１電源切替工程を実行することを特徴とするデマンド制御装置。
【発明の詳細な説明】
【技術分野】
【０００１】
本発明は、発電機などの電力供給装置と商用電源とで電力供給源を切替制御する電力供給システムなどに関する。
【背景技術】
【０００２】
特許文献１などで、商用電力からの電力供給が停止した時に、商用電力に代わって電力供給を行う非常用の発電機が提案されている。
【先行技術文献】
【特許文献】
【０００３】
【特許文献１】特開平１０−２８５８２４号公報
【発明の概要】
【発明が解決しようとする課題】
【０００４】
しかし、非常用の発電機は、商用電力からの電力供給が停止した非常時にだけ使われるため、非常時でない時に用いられる機会が少ない。
【０００５】
したがって本発明の目的は、非常用の電力供給装置を有効に活用する電力供給システムなどを提供することである。
【課題を解決するための手段】
【０００６】
本発明に係る電力供給システムは、負荷に対して電力供給を行う商用電源からの電力供給が停止した時に、切替器を介して、負荷の少なくとも一部に対して電力供給を行う電力供給装置と、負荷のうち、空調機への電力供給源を、商用電源から供給される電力の波形と電力供給装置から供給される電力の波形とが同期した状態で、商用電源と電力供給装置との間で切替を行う高速切替器と、電力供給装置から供給された電力に基づいて駆動し、高速切替器の切替制御を行うデマンド制御装置とを備え、デマンド制御装置は、商用電源から負荷への電力量が電力量閾値以上の状態であるか否かに基づいて、空調機への電力供給源を商用電源から電力供給装置へ切り替える第１電源切替工程を実行する。
【０００７】
発電機は、商用電源からの電力供給が停止した際に、負荷の少なくとも一部に電力供給を行う非常用の電源（電力供給装置）として用いられ、且つ、電力量が多い場合に、電力消費が多い負荷（空調機）への電力供給を行う電源（電力供給装置）としても用いられる。
【０００８】
これにより、非常用の電力供給装置を有効に活用出来、さらにデマンド制御装置を用いることで、商用電源から負荷に供給される電力の消費量（電力量）の３０分間平均値（需要電力）が電力量閾値を超えないように、電力デマンド制御を行うことが可能になる。
【０００９】
第１電源切替工程は、切替を行う前後で使用される電源の波形が同期した状態で、電源の切替が行われるため、空調機において突入電流が生じさせずに且つ瞬断を生じさせずに切替制御を行うことが可能になる。
【００１０】
好ましくは、デマンド制御装置は、電力量が電力量閾値以上であると１回目の判断をした後に、第１時間の間、空調機について消費電力が少なくなるように消費電力抑制制御を行い、消費電力抑制制御の後、第１時間よりも短い第２時間の間、空調機について消費電力抑制制御を行う前の状態に戻す解除制御を行い、デマンド制御装置は、解除制御の後、電力量が電力量閾値以上であると２回目の判断をした後に、第１時間の間、２回目の消費電力抑制制御を行い、２回目の消費電力抑制制御の後、第２時間の間、２回目の解除制御を行い、デマンド制御装置は、２回目の解除制御の後、電力量が電力量閾値以上であると３回目の判断をした後に、第１電源切替工程を実行する。
【００１１】
電力量が電力量閾値以上であると判断した場合に、消費電力抑制制御と解除制御とを複数回行い、その後でも電力量が電力量閾値以上である場合に、第１電源切替工程を実行する。
これにより、発電機を始動させる前段階で、発電機を使用せずに電力デマンド制御を行うことが可能になる。
【００１２】
さらに好ましくは、第１時間は５分であり、第２時間は１分であり、空調機の室外機の定格消費電力が消費電力抑制制御前の９０％以下になるように、消費電力抑制制御が行われる。
【００１３】
電力量が電力量閾値以上であると判断してから、発電機を始動させるまでの時間は、電力事業者などが設置した電力量計で電力量を積算する時間（３０分）の半分以下となる１２分程度に設定され、電力量が電力量閾値以上になってから１５分を超えるまでに、第１電源切替工程を行い、第１電源切替工程の後は、発電機から空調機への電力供給が行われ、商用電源からの電力供給は空調機以外の負荷にだけ行われる。
このため、一時的に電力量が電力量閾値を上回っても、３０分間平均値（需要電力）が電力量閾値を超えないように電力デマンド制御を行うことが可能になる。
【００１４】
また、好ましくは、電力供給装置は、発電機であり、デマンド制御装置は、発電機に内蔵されるバッテリーから供給された電力に基づいて駆動する。
【００１５】
発電機のバッテリーを活用出来るため、デマンド制御装置に、駆動用のバッテリーや、当該バッテリーの蓄電制御装置を設ける形態に比べて、デマンド制御装置の構成を簡素化出来る。
【００１６】
また、好ましくは、デマンド制御装置は、商用電源から空調機を除く負荷への第１電力量と電力供給装置から空調機への第２電力量の和が電力量閾値以上の状態であるか否かに基づいて、空調機への電力供給源を電力供給装置から商用電源に切り替える第２電源切替工程を実行する。
【００１７】
また、好ましくは、商用電源と負荷の間に設置された電力量計における電力量の積算を開始する時点を示す積算開始時からの経過時間が第１経過時間閾値を超えるまでの間は、電力量閾値が高く設定され、積算開始時からの経過時間が第１経過時間閾値を超えてから積算を終了する時点を示す積算終了時までの間は電力量閾値が低く設定される。
【００１８】
これにより、商用電源から供給される電力を有効に活用しながら、電力デマンド制御を行うことが可能になる。
【００１９】
また、好ましくは、電力供給装置は、発電機であり、発電機を最後に停止させてからの経過時間が第２経過時間閾値を超えた後であって、次に発電機が始動する間での間は、第２経過時間閾値を超えるまでに比べて、電力量閾値が低く設定される。
【００２０】
これにより、発電機の試験運転を兼ねて、電力デマンド制御を行うことが可能になる。
【００２１】
本発明に係る電源切替方法は、負荷に対して電力供給を行う商用電源からの電力供給が停止した時に、切替器を介して、負荷の少なくとも一部に対して電力供給を行う電力供給装置と、負荷のうち、空調機への電力供給源を、商用電源から供給される電力の波形と電力供給装置から供給される電力の波形とが同期した状態で、商用電源と電力供給装置との間で切替を行う高速切替器と、電力供給装置から供給された電力に基づいて駆動し、高速切替器の切替制御を行うデマンド制御装置とを有する電力供給システムにおける電源切替方法であって、デマンド制御装置が、電力量が電力量閾値以上であると１回目の判断をした後に、第１時間の間、空調機についての消費電力が少なくなるように消費電力抑制制御を行い、消費電力抑制制御の後、第１時間よりも短い第２時間の間、空調機について消費電力抑制制御を行う前の状態に戻す解除制御を行う第１工程と、デマンド制御装置が、第１工程の後、電力量が電力量閾値以上であると２回目の判断をした後に、第１時間の間、２回目の消費電力抑制制御を行い、２回目の消費電力抑制制御の後、第２時間の間、２回目の解除制御を行う第２工程と、デマンド制御装置が、第２工程の後、電力量が電力量閾値以上であると３回目の判断をした後に、空調機への電力供給源を商用電源から電力供給装置に切り替える第１電源切替工程を実行する。
【００２２】
好ましくは、デマンド制御装置が、第１電源切替工程の後、商用電源から空調機を除く負荷への第１電力量と電力供給装置から空調機への第２電力量の和が電力量閾値以上の状態であるかに基づいて、空調機への電力供給源を電力供給装置から商用電源に切り替える第２電源切替工程を実行する。
【００２３】
本発明に係るデマンド制御装置は、電力供給装置から供給された電力に基づいて駆動し、高速切替器の切替制御を行うデマンド制御装置であって、電力供給装置は、負荷に対して電力供給を行う商用電源からの電力供給が停止した時に、切替器を介して、負荷の少なくとも一部に対して電力供給を行うものであり、高速切替器は、負荷のうち、空調機への電力供給源を、商用電源から供給される電力の波形と電力供給装置から供給される電力の波形とが同期した状態で、商用電源と電力供給装置との間で切替を行うものであり、デマンド制御装置は、商用電源から負荷への電力量が電力量閾値以上の状態であるか否かに基づいて、空調機への電力供給源を商用電源から電力供給装置へ切り替える第１電源切替工程を実行する。
【発明の効果】
【００２４】
以上のように本発明によれば、非常用の電力供給装置を有効に活用する電力供給システムなどを提供することができる。
【図面の簡単な説明】
【００２５】
【図１】本実施形態における電力供給システムの構成を示す模式図である。
【図２】デマンド制御装置による空調機や高速切替器の制御の手順を示すフローチャートである。
【図３】電力量計の積算タイミングを考慮した電力供給システムの構成を示す模式図である。
【発明を実施するための形態】
【００２６】
以下、本実施形態について、図を用いて説明する。本実施形態における電力供給システム１は、第１負荷１１〜第４負荷１４、空調機１５、発電機１７、バッテリー１８、トランス１９、第１切替器２１、第２切替器２２、第１電力量検知部２５、第２電力量検知部２６、デマンド制御装置３１、空調機制御装置３３、高速切替器３５を備える。
【００２７】
第１負荷（例えば、給水ポンプ、エレベーターなど）１１、第３負荷１３は、三相２００Ｖの第１商用電源から供給された電力に基づいて駆動する負荷装置である。
第２負荷（例えば、照明装置やコンピューターサーバーなど）１２、第４負荷１４は、単相１００Ｖの第２商用電源から供給された電力に基づいて駆動する負荷装置である。
空調機１５は、第１商用電源から供給された電力に基づいて駆動する負荷装置である。
【００２８】
発電機１７は、ガス発電機など、三相２００Ｖの電力を出力し、一定条件下で、第１商用電源や第２商用電源の代わりに、電力供給システム１の負荷の一部（第１負荷１１、第２負荷１２、空調機１５）に電力を供給する装置で、始動用にバッテリー１８を有する。
トランス１９は、発電機１７から供給された電力（三相２００Ｖ）を、単相１００Ｖに変圧する。
【００２９】
第１切替器２１は、第１負荷１１への電力供給源を第１商用電源と発電機１７とで切り替えるリレーで、可動接点が第１負荷１１と接続され、常時閉路接点が第１商用電源と接続され、常時開路接点が発電機１７と接続される。
第１商用電源からの電力供給が行われている間は、第１切替器２１を介して第１負荷１１と第１商用電源が接続し、第１商用電源からの電力供給が停止している間は、第１切替器２１を介して第１負荷１１と発電機１７が接続する。
【００３０】
第２切替器２２は、第２負荷１２への電力供給源を第２商用電源と発電機１７とで切り替えるリレーで、可動接点が第２負荷１２と接続され、常時閉路接点が第２商用電源と接続され、常時開路接点がトランス１９を介して発電機１７と接続される。
第２商用電源からの電力供給が行われている間は、第２切替部２２を介して第２負荷１２と第２商用電源が接続し、第２商用電源からの電力供給が停止している間は、第２切替器２２とトランス１９を介して第２負荷１２と発電機１７が接続する。
【００３１】
第１電力量検知部２５は、第１商用電源から第１負荷１１、第３負荷１３、及び空調機１５へ供給する電力量を検知し、デマンド制御装置３１に送信する。
第２電力量検知部２６は、発電機１７から空調機１５へ供給する電力量を検知し、デマンド制御装置３１に送信する。
デマンド制御装置３１は、第１電力量検知部２５及び第２電力量検知部２６からの情報に基づいて、空調機制御装置３３を介して空調機１５の制御（消費電力抑制制御、解除制御）を実行したり、高速切替器３５の制御（第１電源切替工程、第２電源切替工程）を実行したりする。
空調機１５や高速切替器３５の制御の具体的な内容については、後述する。
【００３２】
デマンド制御装置３１は、発電機１７のバッテリー１８から供給された電力に基づいて駆動する。
発電機１７のバッテリー１８を活用出来るため、デマンド制御装置３１に、駆動用のバッテリーや、当該バッテリーの蓄電制御装置を設ける形態に比べて、デマンド制御装置３１の構成を簡素化出来る。
【００３３】
空調機制御装置３３は、空調機１５の室外機の定格消費電力を所定の割合（９０％以下、本実施形態では、４０％）に抑制したり、空調機１５の設定温度を所定の温度（例えば、冷房モードの場合は１度上昇させ、暖房モードの場合は１度下降させる）だけ変えたりすることで、空調機１５の消費電力を制御する装置である。
【００３４】
高速切替器３５は、空調機１５への電力供給源を第１商用電源と発電機１７とで切り替えるリレーで、可動接点が空調機１５と接続され、常時閉路接点が第１商用電源と接続され、常時開路接点が発電機１７と接続される。
高速切替器３５における電源切替は、高速（瞬断時間が３〜１０ｍｓｅｃで、本実施形態では５ｍｓｅｃ）で行われる。
【００３５】
高速切替器３５は、デマンド制御装置３１によって制御され、空調機１５の消費電力抑制制御を行った後でも第１商用電源から第１負荷１１と第３負荷１３と空調機１５への電力量Ｐが所定の閾値（電力量閾値ｐｓ）以上になるなどの所定の条件を満たす場合には、高速切替器３５を介して空調機１５と発電機１７が接続するようにリレーの制御（第１電源切替工程）が行われ、当該所定の条件を満たさない場合などには、空調機１５と第１商用電源が接続するようにリレーの制御（第２電源切替工程）が行われる。
【００３６】
デマンド制御装置３１による空調機１５や高速切替器３５の制御の手順について、図２のフローチャートを用いて説明する。
なお、第１デマンド超過判断工程（ステップＳ１１）を実行する前に、抑制制御回数パラメータｎは、初期値：０に設定される。
【００３７】
デマンド制御装置３１は、第１電力量検知部２５からの情報に基づいて、第１商用電源から第１負荷１１、第３負荷１３、及び空調機１５に供給される電力量Ｐ（単位：ｋＷ）が所定の電力量閾値ｐｓ（例えば、ｐｓ＝８０ｋＷ）以上であるか否かを判断する（第１デマンド超過判断工程、ステップＳ１１参照）。
第１デマンド超過判断工程は、所定の時間（例えば、１００ｍｓ）ごとに行われる。
【００３８】
電力量閾値ｐｓは、第１商用電源から第１負荷１１と第３負荷１３と空調機１５に供給される電力の消費量（電力量Ｐ）の３０分間の平均値（平均電力量（需要電力））の最大値ＰＭから、空調機１５を電力消費量が最大となる状態で３０分間稼働させた状態での空調機１５の電力量ＰＡを差し引いたものに基づいて決定される。
例えば、当該最大値ＰＭが１５０ｋＷであり、当該空調機１５の電力量ＰＡが７０ｋＷであった場合には、差し引いた値（８０ｋＷ）に基づいて、電力量閾値ｐｓが決定される。
この場合、発電機１７は、７０ｋＷの電力を連続して５時間程度出力出来るものが使用される。
【００３９】
第１デマンド超過判断工程において、当該電力量Ｐが電力量閾値ｐｓ以上であると判断された場合は、デマンド制御装置３１は、抑制制御回数パラメータｎを１だけ増やし、第１時間ｔ１（例えば、ｔ１＝５分）だけ、空調機１５の消費電力が少なくなるように、空調機制御装置３３について制御（消費電力抑制制御）を行い、第１時間ｔ１経過後、第１時間ｔ１よりも短い第２時間ｔ２（例えば、ｔ２＝１分）だけ、空調機制御装置３３をオフにするなど、空調機１５について消費電力抑制制御を行う前の状態に戻す解除制御を行う（１回目：第１工程、２回目：第２工程、ステップＳ１２、Ｓ１３参照）。
【００４０】
第１デマンド超過判断工程において、当該電力量Ｐが電力量閾値ｐｓ未満であると判断された場合は、デマンド制御装置３１は、所定の時間（例えば、１００ｍｓ）経過後に、第１デマンド超過判断工程を行う。
【００４１】
解除制御の後、デマンド制御装置３１は第１電力量検知部２５からの情報に基づいて、再度、第１商用電源から第１負荷１１、第３負荷１３、及び空調機１５に供給される電力量Ｐが所定の電力量閾値ｐｓ以上であるか否かを判断する（第２デマンド超過判断工程、ステップＳ１４参照）。
【００４２】
第２デマンド超過判断工程において、当該電力量Ｐが電力量閾値ｐｓ以上であると判断された場合は、ステップＳ１５に進められ、当該電力量Ｐが電力量閾値ｐｓ未満であると判断された場合は、ステップＳ２２に進められる。
【００４３】
デマンド制御装置３１は、抑制制御回数パラメータｎがパラメータ閾値ｎｓ（例えば、ｎｓ＝２）以上であるか否かを判断する（回数判断工程、ステップＳ１５参照）。
回数判断工程において、抑制制御回数パラメータｎがパラメータ閾値ｎｓ以上であると判断された場合、すなわち、消費電力抑制制御と解除制御を複数回行っても電力量Ｐが電力量閾値ｐｓ以上の状態が続く場合、ステップＳ１６に進められ、抑制制御回数パラメータｎがパラメータ閾値未満であると判断された場合、ステップＳ１２に戻され、再度、消費電力抑制制御が行われる。
【００４４】
デマンド制御装置３１は、発電機１７を始動させ（発電機始動工程、ステップＳ１６参照）、発電機始動工程から第３時間ｔ３（例えば、ｔ３＝４０秒）経過後に、発電機１７が所定の電圧の印加が可能な状態であるか否かを判断する（発電状態確認工程、ステップＳ１７参照）。
発電状態確認工程において、発電機１７が所定の電圧の印加が可能な状態であると判断された場合、ステップＳ１８に進められ、発電機１７が所定の電圧の印加が可能な状態でないと判断された場合、ステップＳ１９に進められる。
【００４５】
デマンド制御装置３１は、高速切替器３５を制御し、第１商用電源から供給される電力の波形と発電機１７から供給される電力の波形とが同期した状態（位相が一致した状態）で、空調機１５への電力供給源を第１商用電源から発電機１７に切り替える（第１電源切替工程、ステップＳ１８参照）。
第１電源切替工程では、高速切替器３５は、可動接点と常時閉路接点とが接続した状態から、可動接点と常時開路接点とが接続した状態に切り替えられる。
【００４６】
デマンド制御装置３１は、発電機１７が正常に動作していない旨の警告を音声もしくは映像で出力し、デマンド制御装置３１による空調機１５や高速切替器３５の制御を停止する（ステップＳ１９参照）。
【００４７】
第１電源切替工程の後、デマンド制御装置３１は第１電力量検知部２５や第２電力量検知部２６からの情報に基づいて、第１商用電源から第１負荷１１、及び第３負荷１３に供給される第１電力量Ｐ１と、発電機１７から空調機１５に供給される第２電力量Ｐ２を合わせた電力量（単位：ｋＷ）が所定の電力量閾値ｐｓ未満であるか否かを判断する（第３デマンド超過判断工程、ステップＳ２０参照）。
【００４８】
第３デマンド超過判断工程において、当該第１電力量Ｐ１と第２電力量Ｐ２の和が電力量閾値ｐｓ以上であると判断された場合は、デマンド制御装置３１は、所定の時間（例えば、１００ｍｓ）経過後に、第３デマンド超過判断工程を行う。
【００４９】
第３デマンド超過判断工程において、当該第１電力量Ｐ１と第２電力量Ｐ２の和が電力量閾値ｐｓ未満であると判断された場合は、ステップＳ２１に進められる。
デマンド制御装置３１は、高速切替器３５を制御し、第１商用電源から供給される電力の波形と発電機１７から供給される電力の波形とが同期した状態（位相が一致した状態）で、空調機１５への電力供給源を発電機１７から第１商用電源に切り替え、発電機１７を停止させる（第２電源切替工程、ステップＳ２１参照）。
第２電源切替工程では、高速切替器３５は、可動接点と常時開路接点とが接続した状態から、可動接点と常時閉路接点とが接続した状態に切り替えられる。
【００５０】
デマンド制御装置３１は、抑制制御回数パラメータｎは、初期値：０に戻され（ステップＳ２２）、所定の時間（例えば、１００ｍｓ）経過後に第１デマンド超過判断工程（ステップＳ１１）を再開する。
【００５１】
発電機１７は、第１商用電源や第２商用電源からの電力供給が停止した際に、負荷の少なくとも一部（本実施形態では、第１負荷１１と第２負荷１２）に電力供給を行う非常用の電源（電力供給装置）として用いられ、且つ、電力量Ｐが多い場合に、電力消費が多い負荷（空調機１５）への電力供給を行う電源（電力供給装置）としても用いられる。
【００５２】
これにより、非常用の電力供給装置を有効に活用出来、さらにデマンド制御装置３１を用いることで、第１商用電源から第１負荷１１と第３負荷１３と空調機１５に供給される電力の消費量（電力量Ｐ）の３０分間平均値（需要電力）が電力量閾値ｐｓを超えないように、電力デマンド制御を行うことが可能になる。
【００５３】
第１電源切替工程や第２電源切替工程は、切替を行う前後で使用される電源の波形が同期した状態で、電源の切替が行われるため、空調機１５において突入電流が生じさせずに且つ瞬断を生じさせずに切替制御を行うことが可能になる。
すなわち、突入電流や瞬断によって生ずる悪影響（余計な負荷など）が空調機１５に及ぶことなく切替制御を行うことが可能になる。
【００５４】
また、電力量Ｐが電力量閾値ｐｓ以上であると判断した場合に、消費電力抑制制御と解除制御とを複数回行い、その後でも電力量Ｐが電力量閾値ｐｓ以上である場合に、第１電源切替工程を実行する。
これにより、発電機１７を始動させる前段階で、発電機１７を使用せずに電力デマンド制御を行うことが可能になる。
【００５５】
第１デマンド超過判断工程（ステップＳ１１）で電力量Ｐが電力量閾値ｐｓ以上であると判断してから、発電機始動工程（ステップＳ１６）までの時間は、電力事業者などが第１商用電源と空調機１５などの負荷の間に設置した電力量計２９で電力量を積算する時間（３０分）の半分以下となる１２分程度に設定され、電力量Ｐが電力量閾値ｐｓ以上になって１５分を超えるまでに、第１電源切替工程（ステップＳ１８）を行い、第１電源切替工程の後は、発電機１７から空調機１５への電力供給が行われ、第１商用電源からの電力供給は第１負荷１１と第３負荷１３にだけ行われる。
このため、一時的に電力量Ｐが電力量閾値ｐｓを上回っても、３０分間平均値（需要電力）が電力量閾値ｐｓを超えないように電力デマンド制御を行うことが可能になる。
【００５６】
本実施形態では、電力量閾値ｐｓは固定的な値に設定される形態であってもよいが、状況に応じて異なる値に設定される形態であってもよい。
例えば、発電機始動工程（ステップＳ１６）の後、積算終了時（電力量計２９における電力量の積算を開始してから積算が終了する時点（３０分が経過する時点））までの時間が長い場合には、積算期間中の平均電力量を少なく出来る。
このため、電力量計２９における電力量を積算するタイミングに合わせ、積算開始時（電力量計２９における電力量の積算を開始する時点）からの経過時間が第１経過時間閾値ｔｓ１（例えば、ｔｓ１＝１０分）を超えるまでは、電力量閾値ｐｓを高くして発電機１７が始動する条件を厳しくし、積算終了時に近いと電力量閾値ｐｓを低くして発電機１７が始動する条件を緩くする制御が加えられてもよい。
例えば、積算開始時からの経過時間が第１経過時間閾値ｔｓ１を超えるまでの間は、電力量閾値ｐｓが９０ｋＷに設定され、積算開始時からの経過時間が第１経過時間閾値ｔｓ１を超えてから、積算終了時までの間は、電力量閾値ｐｓが８０ｋＷに設定される形態が考えられる。
この場合、デマンド制御装置３１は、電力量計２９から、電力量計２９の時間情報（時計情報、積算開始や積算終了のタイミングなど）を取得する（図３参照）、若しくは、使用者が、デマンド制御装置３１の時計を、電力量計２９の時計と合わせる設定を行う。
これにより、第１商用電源から供給される電力を有効に活用しながら、電力デマンド制御を行うことが可能になる。
【００５７】
また、空調機１５の使用機会が減り電力量Ｐが多くならず、発電機始動工程を実行する機会が少なくなる季節（春や秋）は、発電機１７が全く動作しない可能性がある。
このため、発電機１７を最後に停止させてからの経過時間が第２経過時間閾値ｔｓ２（例えば、ｔｓ２＝３ヶ月）を超えた後であって、次に発電機１７が始動するまでの間は、当該経過時間が第２経過時間閾値ｔｓ２を超えるまでに比べて、電力量閾値ｐｓを低くして発電機１７が始動する条件を緩くする制御が加えられてもよい。
例えば、発電機１７を最後に停止させてからの経過時間が第２経過時間閾値ｔｓ２を超えるまでの間は、電力量閾値ｐｓが８０ｋＷに設定され、発電機１７を最後に停止させてからの経過時間が第２経過時間閾値ｔｓ２を超えた後であって次に発電機１７が始動するまでの間は、電力量閾値ｐｓが７０ｋＷに設定され、発電機１７が始動した後は、再び電力量閾値ｐｓが８０ｋＷに戻される形態が考えられる。
これにより、発電機１７の試験運転を兼ねて、電力デマンド制御を行うことが可能になる。
【００５８】
本実施形態では、第１商用電源や第２商用電源の代わりに空調機１５などに電力供給を行う電力供給装置が、発電機１７であるとして説明したが、無停電装置などバッテリーを含む蓄電装置であってもよい。
また、本実施形態では、三相２００Ｖの第１商用電源から電力供給を受ける負荷（空調機１５など）に対して、電力デマンド制御を行う形態を説明したが、単相１００Ｖの第２商用電源から電力供給を受ける負荷に対して、電力デマンド制御を行う形態であってもよい。
【符号の説明】
【００５９】
１  電力供給システム
１１〜１４  第１負荷〜第４負荷
１５  空調機
１７  発電機
１８  バッテリー
１９  トランス
２１、２２  第１切替器、第２切替器
２５、２６  第１電力量検知部、第２電力量検知部
２９  電力量計
３１  デマンド制御装置
３３  空調機制御装置
３５  高速切替器
ｎ  抑制制御回数パラメータ
ｎｓ  パラメータ閾値
Ｐ  第１商用電源から第１負荷と第３負荷と空調機に供給される電力量
Ｐ１  第１電力量（第１商用電源から第１負荷と第３負荷に供給される電力量）
Ｐ２  第２電力量（発電機から空調機に供給される電力量）
ＰＡ  空調機を電力消費量が最大となる状態で３０分間稼働させた状態での空調機の電力量
ＰＭ  第１商用電源から第１負荷と第３負荷と空調機に供給される電力の消費量（電力量）の３０分間の平均値（平均電力量（需要電力））の最大値
ｐｓ  電力量閾値
ｔ１  第１時間（消費電力抑制制御を行う時間）
ｔ２  第２時間（解除制御を行う時間）
ｔ３  第３時間（発電機が始動してから所定の電圧の印加が可能な状態になるまでの所要時間）
ｔｓ１  第１経過時間閾値
ｔｓ２  第２経過時間閾値
【図１】
2018137860.tif 000003
【図２】
2018137860.tif 000004
【図３】
2018137860.tif 000005